【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
予め所定長さに切断したジッパーを移動するウェブ材料に対して横断方向に該ウェブの移動方向へ所定間隔で取付けるための装置において、
前記ウェブ材料を所定方向へ前進させるための手段と、
前記所定長さに予め切断したジッパーを受容する軸方向に延びる複数の溝を周方向に間隔をおいて配設した表面を有したタレットと、
円筒の中心軸周りに前記タレットを回転駆動するための手段とを具備し、
前記タレットは、その回転軸が前記ウェブの前進方向に対して横断方向に延設され、かつ、該タレットが回転すると、その表面の溝が、該溝内に配置された前記所定長さに予め切断したジッパーを前記ウェブへの取付けのために提供する位置に逐次送られるように前記ウェブに対して配置されており、
該装置は、更に、
相互に係合可能な輪郭形成部材、および、該輪郭形成部材に装着されたスライダーを備えた所定長さに予め切断したジッパーを、前記取付位置とは異なる装填位置において、逐次前記タレットの溝に供給するための手段と、
前記所定長さに予め切断したジッパーを前記取付位置において前記タレットの溝から脱離させて、該所定長さのジッパーを前記ウェブに取付けるための手段と、
前記タレットに供給された所定長さの各ジッパーにスライダーが装着されているように、前記ジッパーにスライダーを装着するための手段とを具備した装置。
【請求項２】
前記ジッパーにスライダーを装着する手段は、回転ジッパーアプリケータを具備する請求項１に記載の装置。
【請求項３】
前記スライダーアプリケータと前記供給位置との間に、連続的に供給されるジッパーを所定長さに予め切断するためのナイフが配設されている請求項２に記載の装置。
【請求項４】
前記タレットの各溝は、予め切断された各ジッパーのスライダーを受容するための幅広の部分を含んでいる請求項１〜３の何れか１項に記載の装置。
【請求項５】
前記幅広の部分は、前記溝の挿入側端部から溝の中心部を少し超えた位置まで延在している請求項４に記載の装置。
【請求項６】
前記所定長さのジッパーの脱離、取付のための手段は、前記取付位置において、前記フィルムに対して前記タレットの反対側に、該フィルムに接近、離反可能に配設された熱融着バーを具備する請求項１〜５の何れか１項に記載の装置。
【請求項７】
前記スライダー装着手段は、互いに解離した輪郭形成部材を有したジッパーを生成し、前記装置は、前記スライダー装着手段と前記タレットとの間に配設されジッパーの輪郭形成部材を係合させるための手段を具備し、該手段は一対のローラーを具備しており、該一対のローラーのニップを前記ジッパーが通過し、前記一対のローラーは、前記ジッパーの輪郭形成部材を互いに係合させると共に、両者間をスライダーが通過できるように、互いに離反するように構成されている請求項１〜６の何れか１項に記載の装置。
【請求項８】
前記ニップを形成するローラーの表面は、凸面状に形成されている請求項７に記載の装置。
【請求項９】
ジッパーが取付られた前記ウェブを受容し、該ウェブをバッグに成形し、該バッグに製品を充填し、前記所定長さのジッパーが該バッグの再閉鎖可能なファスナーを形成するようにした製袋充填シール機械を更に具備する請求項１〜８の何れか１項に記載の装置。
【請求項１０】
ジッパーが取付られた前記ウェブを受容し、該ウェブをバッグに成形するようにした機械を更に具備し、該バッグは、後に製品が充填され、前記所定長さのジッパーが該バッグの再閉鎖可能なファスナーを形成する請求項１〜８の何れか１項に記載の装置。
【請求項１１】
ジッパーが取付られた前記ウェブを受容し、該ウェブをロール状に形成するための手段を更に具備し、該ロール状にしたウェブを、後に空のバッグを形成するために使用したり、或いは、後に製袋充填シール機械で使用するようにした請求項１〜８の何れか１項に記載の装置。
【請求項１２】
スライダージッパーの輪郭形成部材を係合させるための装置において、
該装置は一対のローラーを具備し、該ローラーのニップがジッパーが通過するようになっており、前記一対のローラーは、前記ジッパーの輪郭形成部材を互いに係合させると共に、両者間をスライダーが通過できるように、互いに離反するように構成されている装置。
【請求項１３】
前記ニップを形成するローラーの表面は、凸面状に形成されている請求項１２に記載の装置。
【請求項１４】
予め所定長さに切断したジッパーを移動するウェブ材料に対して横断方向に該ウェブの移動方向へ所定間隔で取付けるための方法において、
前記ウェブ材料を準備し、
前記所定長さに予め切断したジッパーを受容する軸方向に延びる複数の溝を周方向に間隔をおいて配設した表面を有したタレットを通過させて前記ウェブ材料を所定方向へ前進させることを含み、
前記タレットは、その回転軸が前記ウェブの前進方向に対して横断方向に延設され、かつ、該タレットが回転すると、その表面の溝が、該溝内に配置された前記所定長さに予め切断したジッパーを前記ウェブへの取付けのために提供する位置に逐次送られるように前記ウェブに対して配置されており、
該方法は、更に、
相互に係合可能な輪郭形成部材、および、該輪郭形成部材に装着されたスライダーを備え所定長さに予め切断したジッパーを、前記取付位置とは異なる装填位置において、逐次前記タレットの溝に供給し、
前記タレットを回転して、前記所定長さのジッパーを受容位置から取付位置へ逐次前進させ、
前記所定長さに予め切断したジッパーを前記取付位置において前記ウェブに取付けることを含んで成る方法。
【請求項１５】
前記所定長さのジッパーは、前記取付位置において、前記フィルムに対して前記タレットの反対側に、該フィルムに接近、離反可能に配設された熱融着バーによって前記ウェブに取着される請求項１４に記載の方法。
【請求項１６】
前記スライダーは、回転ジッパーアプリケータによって前記ジッパーに装着される請求項１４または１５に記載の方法。
【請求項１７】
前記スライダーが連続ジッパーに装着され、次いで、該連続ジッパーが所定長さに切断される請求項１４〜１６の何れか１項に記載の方法。
【請求項１８】
スライダーが装着される間、前記ジッパーの輪郭形成部材を解離させ、次いで、前記タレットへ供給する前に再び係合させ、該再係合は、前記ジッパーを一対のローラーのニップを通過させることによってなされ、前記一対のローラーは、両者間をスライダーが通過できるように互いに離反するように構成されている請求項１４〜１７の何れか１項に記載の方法。
【請求項１９】
ジッパーが取付られた前記ウェブを受容し、該ウェブをバッグに成形し、該バッグに製品を充填し、前記所定長さのジッパーが該バッグの再閉鎖可能なファスナーを形成するように構成された製袋充填シール機械に、前記ジッパーが取付けられたウェブを供給する段階を更に含む請求項１４〜１８の何れか１項に記載の方法。
【請求項２０】
ジッパーが取付られた前記ウェブを受容し、該ウェブをバッグに成形するようにした機械に、前記ジッパーが取付けられたウェブを供給する段階を更に含み、前記バッグが、後に製品が充填され、前記所定長さのジッパーが該バッグの再閉鎖可能なファスナーを形成する請求項１４〜１８の何れか１項に記載の方法。
【請求項２１】
ジッパーが取付られた前記ウェブを受容し、該ウェブをロール状に形成する段階を更に含み、該ロール状にしたウェブを、後に空のバッグを形成するために使用したり、或いは、後に製袋充填シール機械で使用するようにした請求項１４〜１８の何れか１項に記載の方法。